(57)【要約】【課題】カバー体の着脱を確保しながら、配線ケーブル等の配線収納溝への挿入作業を楽に行えるようにしたテーブル等の脚構造を提供すること。【解決手段】天板を支持する支持脚４内部に配線収納空間を形成したテーブル等の脚構造において、前記脚は、周面の一部が上下方向に開口８する管状の脚柱４Ａと、この開口８の左右両端縁８ａ，８ｂから内方に向けて延設する取付片４Ｂとが一体成形され、開口８はカバー体１６により閉塞され、該カバー体１６は前記左右の取付片４Ｂの適宜位置にそれぞれ設けたカバー受け１５に着脱自在に係止し、この左右の取付片４Ｂ間内方に前記開口８に連通する上下方向に延びる配線収納溝１３が形成されている。【選択図】  図２
2004159708.tif 000002
【特許請求の範囲】
【請求項１】
天板を支持する支持脚内部に配線収納空間を形成したテーブル等の脚構造であって、前記脚は、周面の一部が上下方向に開口する管状の脚柱と、該開口の左右両端縁から内方に向けて延設する取付片とが一体成形され、前記開口はカバー体により閉塞され、該カバー体は前記左右の取付片の適宜位置にそれぞれ設けたカバー受けに着脱自在に係止し、前記左右の取付片間内方に前記開口に連通する上下方向に延びる配線収納溝を形成したことを特徴とするテーブル等の脚構造。
【請求項２】
前記取付片には取付ブラケット用の取付手段が設けられ、前記カバー体の左右端と前記開口の左右両端縁間には取付けブラケットの挿入空隙が形成されている請求項１に記載のテーブル等の脚構造。
【請求項３】
前記カバー受けは少なくとも左右の取付片の上下端近傍に設けられている請求項１または２に記載のテーブル等の脚構造。
【請求項４】
前記カバー受けは取付片に取り外し自在に装着されている請求項１ないし３の何れかに記載のテーブル等の脚構造。
【請求項５】
前記カバー受けは取付片に形成した上下方向の縦溝に係合する突片と、該縦溝内に形設した打ち込み穴に嵌合可能な突状棒を備えている請求項４に記載のテーブル等の脚構造。
【請求項６】
前記カバー体には配線開口が形成されている請求項１ないし５の何れかに記載のテーブル等の脚構造。
【発明の詳細な説明】
【０００１】
【発明の属する技術分野】
本発明は、天板を支持する支持脚内部に配線収納空間を形成したテーブルや机等の脚構造に関する。
【０００２】
【従来の技術】
テーブル等の天板支持脚に配線収納空間を形成し、配線ケーブル等をこの支持脚内の配線空間を介して電気接続を図るようにしたのもは既に公知である（特許文献１，２参照）。
【０００３】
【特許文献１】
特開２００１−１２８７４７号公報（第３，４頁、図５）
【特許文献２】
特開２００１−１２８７５１号公報（第３，４頁、図５）
【０００４】
上記特許文献に記載の天板支持脚は、周面の一部が上下方向に開口する管状の脚柱と、この開口の左右両端縁から内方に向けて延設する取付片とが一体成形され、開口はカバー体により閉塞され、左右の取付片間内方には開口に連通する上下方向に延びる配線収納溝が形成されている。そしてカバー体は取付片に連接した屈曲片に着脱自在に装着されている。したがって、配線収納溝内に配線ケーブル等を納めた後は、カバー体を屈曲片に設けた係止部に係止して配線ケーブル等が脚部から露出しないように体裁よく隠している。
【０００５】
【発明が解決しようとする課題】
しかしながら、上記特許文献１，２に記載のものは、取付片に連接した屈曲片が支持脚の上から下まで上下方向に連続して延設されているために、配線ケーブル等を配線収納溝に納める場合に、屈曲片に引っ掛けて配線ケーブルを損傷する恐れがあった。
【０００６】
本発明は、このような状況に鑑みてなされたもので、カバー体の着脱を確保しながら、配線ケーブル等の配線収納溝への挿入作業を楽に行えるようにしたテーブル等の脚構造を提供することを目的とするものである。
【０００７】
【課題を解決するための手段】
上記課題を解決するために、本発明のテーブル等の脚構造は、天板を支持する支持脚内部に配線収納空間を形成したテーブル等の脚構造であって、前記脚は、周面の一部が上下方向に開口する管状の脚柱と、該開口の左右両端縁から内方に向けて延設する取付片とが一体成形され、前記開口はカバー体により閉塞され、該カバー体は前記左右の取付片の適宜位置にそれぞれ設けたカバー受けに着脱自在に係止し、前記左右の取付片間内方に前記開口に連通する上下方向に延びる配線収納溝を形成したことを特徴としている。
この特徴によれば、カバー体が取付片の適宜位置に設けたカバー受けに着脱自在に係止できるので、配線ケーブル等が容易に配線収納溝に納めることができる。
【０００８】
本発明のテーブル等の脚構造において、前記取付片には取付ブラケット用の取付手段が設けられ、前記カバー体の左右端と前記開口の左右両端縁間には取付けブラケットの挿入空隙が形成されていることが好ましい。
このようにすれば、取付片には取付ブラケット用の取付手段が形成してあるので、天板支持脚に膜板や棚等を取り付けることができる。
【０００９】
本発明のテーブル等の脚構造において、前記カバー受けは少なくとも左右の取付片の上下端近傍に設けられていることが好ましい。
このようにすれば、カバー受けを取付片の上下端近傍に設けることにより、カバー体を安定に支持することができ、かつ、カバー受けが設けられていない部分を取付ブラケット用取付部として形成できる。
【００１０】
本発明のテーブル等の脚構造において、前記カバー受けは取付片に取り外し自在に装着されていることが好ましい。
このようにすれば、カバー受けの取付位置を変えることで取付ブラケット用取付部との干渉を避けることができる。
【００１１】
本発明のテーブル等の脚構造において、前記カバー受けは取付片に形成した上下方向の縦溝に係合する突片と、該縦溝内に形設した打ち込み穴に嵌合可能な突状棒を備えていることが好ましい。
このようにすれば、突片によりカバー受けの回動を阻止し、突状棒を打ち込み穴に打ち込むことで、確実にカバー受けを取付片に取り付けることができる。
【００１２】
本発明のテーブル等の脚構造において、前記カバー体にはその上下端近傍に配線開口が形成されていることが好ましい。
このようにすれば、配線ケーブル類を上下端近傍の配線開口を介して挿入或いは挿出することで、配線ケーブル類を支持脚内にまとめて収納することができる。
【００１３】
【発明の実施の形態】
以下、本発明の実施形態を図面に基づいて説明する。図１は本発明の天板を支持する支持脚を備えたテーブルの斜視図であり、図２は支持脚の断面図であり、図３（ａ）はカバー体を外した支持脚の斜視図であり、（ｂ）は図３（ａ）の一部拡大図であり、図４（ａ）はカバー体の側面図であり、（ｂ）は図４（ａ）のＡ−Ａ断面図であり、図５（ａ）はカバー受けの平面図であり、（ｂ）はその正面図である。
【００１４】
図１において、符号１はテーブルであって、このテーブル１は、天板２と、天板受座（図示せず）を介してこの天板２を支持する４本の天板支持脚４（以下支持脚と称する）を備えている。支持脚４間には適宜幕板５が配設され、天板２上に置かれたパソコン６は配線ケーブルＣが接続され、この配線ケーブルＣは天板２上面後方の左右に設けた挿通孔７を経て支持脚４内部に通じている。
【００１５】
次に、図２，３により支持脚４の構造について説明する。支持脚４はその断面が砲弾形状をなし、周面の一部が上下方向に開口８する管状の脚柱４Ａと、この開口８の左右両端縁８ａ，８ｂから内方に向けて延設する取付片４Ｂとが一体成形されたもので、例えばアルミの押出し成形により製作されている。
【００１６】
支持脚４の中央部に設けられている孔１０は天板受け座を取り付けるためのボルト挿通孔であり、もう一つの孔１２は支持脚底部に取り付ける接地台座のためのねじ孔であったり、支持脚頂部に取り付ける付属部材のためのねじ孔である。
【００１７】
左右の取付片４Ｂ間内方には開口８に連通する上下方向に延びる配線収納溝１３が形成され、取付片４Ｂにそれぞれ取り外し自在に取り付けられているカバー受け１５に着脱自在に取り付けたカバー体１６とで配線空間を形成している。
【００１８】
図３（ａ）、（ｂ）に示すように、取付片４Ｂには縦溝が１７が上下方向に延設され、この縦溝１７内に打ち込み穴１８が形設されている。この打ち込み穴１８はカバー受け１５を取付片４Ｂに係止するための穴で、上下端近傍と中央部に設けられているが、必ずしもこの位置に限られるものではなく、中央に一カ所だけであってもよい。
【００１９】
図３（ｂ）に示すように、縦溝１７の内方近接位置に取付ブラケット用のねじ孔１９が形成されている。このねじ孔１９はカバー受け１５が取り付けられていない場所であれば取付片４Ｂのどの位置に設けてもよい。そして図２に示すように、カバー体１６の左右端１６ａ，１６ｂと開口８の左右両端縁８ａ，８ｂ間には取付けブラケットの挿入空隙が形成されている。したがって、取付ブラケットをねじ孔１９にねじで取り付けてこの挿入空隙から一部突出させることで幕板５を容易に取り付けることができる。
【００２０】
次に、カバー体の構造に付き図４を参照して詳述する。図４（ｂ）に示したカバー体の断面図からわかるように、カバー体１６は２本の屈曲右自在な係止片１６ｃを備え、この係止片１６ｃの先端にはカバー受け１５に形成した溝部１５ｃ（図２、図５ａ参照）に係止する係止突部１６ｄが形設されている。
【００２１】
したがって、図２において、カバー体１６を支持脚４に向かって押し込めば、係止片１６ｃの先端の係止突部１６ｄが一時的に内側に屈曲した後、カバー受け１５の溝部１５ｃに嵌入してカバー体１６はカバー受け１５に係止される。またカバー体１６を取り外す際は、カバー体１６を支持脚４に対して外方に引っ張れば、係止突部１６ｄが一時的に内側に屈曲した後、カバー受け１５の溝部１５ｃからはずれる。
【００２２】
更に、図４（ａ）に示すように、カバー体１６は上下端部に配線開口１６ｅを備え，支持脚４内に収納した配線ケーブル類をこの配線開口１６ｅを経て電源側や、パソコン等に接続することができる。したがって、ほとんどの配線ケーブル類を支持脚４内に収納してテーブルの下に配線ケーブル等が混然と垂れ下がるようなことがない。
【００２３】
次に、カバー受けの構造と取付手段に付き図３（ａ）、図５に基づき説明する。図５（ａ）に示すように、カバー受け１５はその中央部に図３（ａ）で示した打ち込み穴１８に嵌入可能な突状棒１５ａと、その両側に縦溝１７に係合する一対の突片１５ｂが設けられている。
【００２４】
図５（ｂ）に示すように、突状棒１５ａの先端部が打ち込み穴１８に嵌入し易いように、テーパ状に尖っており、一方突片１５ｂは縦溝１７内で係止してカバー受け１５の回動を阻止するために所要の長さを有している。
【００２５】
このようにカバー受け１５を構成して、取付片４Ｂの例えば上下と中央の３カ所に係止すると共に、取付用ブラケットをねじ止めした後、配線ケーブル類を配線収納溝１３に納めてカバー体１６をその係止片１６ｃの屈曲変形によりカバー受け１５に係止させることで配線作業を完遂することができる。
【００２６】
以上述べたように、本発明においては、カバー受けが取付片の一部に取り付けられているのみであり、従来例の如く、取付片全長に渉ってカバー体取付のための屈曲片がないので、配線コード類の取り付け外しの際に、屈曲片に引っ掛かってそのケーブル類に損傷を与える恐れがない。
【００２７】
本発明の実施形態として、支持脚の断面形状が楕円であるものについて説明してきたが、特にこの形状に特定されることはなく、角形や円形の支持脚にも適用できることは言うまでもない。
【００２８】
【発明の効果】
本発明は以下の効果を奏する。
【００２９】
（ａ）請求項１項の発明によれば、カバー体が取付片の適宜位置に設けたカバー受けに着脱自在に係止できるので、配線ケーブル等が容易に配線収納溝に納めることができる。
【００３０】
（ｂ）請求項２項の発明によれば、取付片には取付ブラケット用の取付手段が形成してあるので、天板支持脚に膜板や棚等を取り付けることができる。
【００３１】
（ｃ）請求項３項の発明によれば、カバー受けを取付片の上下端近傍に設けることにより、カバー体を安定に支持することができ、かつ、カバー受けが設けられていない部分を取付ブラケット用取付部として形成できる。
【００３２】
（ｄ）請求項４項の発明によれば、カバー受けの取付位置を変えることで取付ブラケット用取付部との干渉を避けることができる。
【００３３】
（ｅ）請求項５項の発明によれば、突片によりカバー受けの回動を阻止し、突状棒を打ち込み穴に打ち込むことで、確実にカバー受けを取付片に取り付けることができる。
【００３４】
（ｆ）請求項６項の発明によれば、配線ケーブル類を上下端近傍の配線開口を介して挿入或いは挿出することで、配線ケーブル類を支持脚内にまとめて収納することができる。
【図面の簡単な説明】
【図１】本発明の天板を支持する支持脚を備えたテーブルの斜視図である。
【図２】支持脚の断面図である。
【図３】図３（ａ）はカバー体を外した支持脚の斜視図であり、（ｂ）は図３（ａ）の一部拡大図である。
【図４】（ａ）はカバー体の側面図であり、（ｂ）は図４（ａ）のＡ−Ａ断面図である。
【図５】（ａ）はカバー受けの平面図であり、（ｂ）はその正面図である。
【符号の説明】
１                    テーブル
２                    天板
４                    天板支持脚（支持脚）
４Ａ                脚柱
４Ｂ                取付片
５                    幕板
６                    パソコン
７                    挿通孔
８                    開口
８ａ、８ｂ            開口左右端縁
１０                  孔
１２                  ねじ孔
１３                  配線収納溝
１５                  カバー受け
１５ａ                突状棒
１５ｂ                突片
１５ｃ                溝部
１６                  カバー体
１６ａ，１６ｂ      左右端
１６ｃ              係止片
１６ｄ              係止突部
１６ｅ              配線開口
１７                  縦溝
１８                  打ち込み穴
１９                  取付ブラケット用のねじ孔（取付手段）
Ｃ                    配線ケーブル
【図１】
2004159708.tif 000003
【図２】
2004159708.tif 000004
【図３】
2004159708.tif 000005
【図４】
2004159708.tif 000006
【図５】
2004159708.tif 000007